(57)【特許請求の範囲】
【請求項１】
上面に安定器を設け、両端に対向して垂下するランプソケットを設けた器具本体の上部側を、弾性を有する断面弧状のカバーにより覆うとともに、上記器具本体裏面を反射板に形成し、器具本体の長手方向の端縁あるいは側縁に、他物に係止する係止部を具える懸吊具を固定してなる照明器具。
【発明の詳細な説明】
【０００１】
【発明の属する技術分野】
この発明は、照明器具、特に高温多湿の温室等の内部に設けられる植物栽培用照明器具の改良に関する。
【０００２】
【従来の技術】
従来、高温多湿の温室等の内部に設けられる植物栽培棚において、日照時間等を調節するために設けられる照明器具は、図５に示すように箱型の器具本体（Ａ）の天井部下側に安定器（図示せず）を設け、その安定器を覆うように下側から反射板（Ｂ）をネジ（Ｆ）により取り付けた上、その反射板（Ｂ）の下部に突出するランプソケット（Ｃ）に蛍光ランプを嵌入して構成され、その照明器具を設置するに際しては、更にその照明器具の上部に別体の取付金具（Ｅ）をネジ（Ｇ）止めし、その取付金具（Ｅ）を植物栽培棚等を構成するパイプに係合させていた。
【０００３】
【発明が解決しようとする課題】
しかしながら、上記従来のものにおいては、安定器が箱型の器具本体（Ａ）の内部に設けられ、しかも、その箱型の器具本体（Ａ）の下面側には反射板（Ｂ）の取付用部材（Ｄ）が突出するため、作業範囲が狭隘となって配線作業が困難であるという欠点があり、又、この照明器具が温室等の高温多湿状況下で用いられると、器具本体（Ａ）の設置に際してネジ（Ｇ）を使用するため、そのネジ穴部分の錆止めが不完全となり易く、ネジ穴から器具本体（Ａ）へ錆を招き腐食して器具本体（Ａ）が落下し、あるいは反射板（Ｂ）に水が溜り、その近くにある接続部に漏電を生じ、器具内部に発生する苔等の除去が困難である等の欠点があり、その上、器具本体（Ａ）と安定器との隙間に水滴がたまり易く、この水分により安定器を劣化させて照明器具そのものの寿命をも縮めるという欠点があった。
【０００４】
そこで、この発明は上記従来のものの欠点を改良するものであり、簡単な構成で照明器具構成のための作業を容易にし、しかも照明器具の形成に極力ネジ穴を設けないことから、器具本体の錆の発生を充分防止することができ、更に、安定器への水滴の付着を防止して照明器具自体の長期使用を可能とするものである。
【０００５】
【課題を解決するための手段】
そのために、上面に安定器を設け、両端に対向して垂下するランプソケットを設けた器具本体の上面側を、弾性を有する断面弧状のカバーにより覆うとともに、上記器具本体の裏面を反射板に形成し、器具本体の長手方向の端縁あるいは側縁に、他物に係止する係止部を具える懸吊具を固定してなるものである。
【０００６】
【発明の実施の形態】
上記構成を具えるので、実施にあたり、安定器が器具本体の上面に設けられることから、配線作業を開放された作業範囲で行うことができ、作業が容易となって作業効率が上昇するとともに、器具本体に取り付けられるカバーを合成樹脂あるいは金属薄板の耐食性で弾性をもつものとするから、それ自体、腐食することがない上、断面弧状になるように形成されることから、カバーの裏面に付着した水滴は、そのカバー面に沿って器具本体側縁へと導かれ、器具本体の中央部に設置された安定器にカバーの裏面に付着した水滴が落下することがなく、安定器の劣化を防止し延いては照明器具自体の劣化をも防止することができる。又、照明器具に極力、ネジを使用しないことから、ネジ穴を設ける必要が少なくなり照明器具への錆の発生を充分防止し、漏電を防止でき、発生する苔の除去が容易となるものである。
【０００７】
【実施例】
この発明を図１に示す実施例により更に説明する。（１）はこの発明の第１実施例である照明器具であり、（２）は器具本体であって、側縁には折り曲げ部（３）を、又、長手方向端縁には懸吊具付エンドカバー（４）を有するアルミ材よりなる。（６）は安定器であって、器具本体（２）の上面略中央に、スペーサー（７）を介することによって器具本体（２）より浮かした状態で固定され、（８）は速結式防水コネクターであって、送り線（９）と安定器（６）とを連結し、（１０）はランプソケットであって、器具本体（２）の長手方向端縁に嵌着する懸吊具付エンドカバー（４）に対向して垂下するように係合させることにより、器具本体（２）下部に突出した状態に固定される。（１１）は蛍光ランプであって、器具本体（２）の両端に固定されたランプソケット（１０）（１０）間に嵌合される。（１２）は懸吊具であって、逆Ｌ型の係止部（１３）を具え懸吊具付エンドカバー（４）の外面に取付けられ、弾性を有する合成樹脂例えば塩化ビニール製のカバー（１６）が、その断面が弧状になるように湾曲させられて、安定器（６）の設置された器具本体（２）を上から覆い器具本体（２）の折り曲げ部（３）に弾接して設置される。両端に懸吊具（１２）を係合し器具本体（２）の上面にカバー（１６）を載置すると、器具本体（２）の上部に設置された安定器（６）はそのカバー（１６）の湾曲によって覆われ、又、カバー（１６）の側縁（１７）が、カバー（１６）自体の弾性により器具本体（２）の側縁を挟持して器具本体（２）に対して固定される。なお、カバー（１６）は合成樹脂製であることが望ましいが、防錆性、弾性のあるものであれば金属製のものでもよい。
【０００８】
この第１実施例は以上の構成を具えるので、器具本体（２）上に安定器（６）を設置して送り線（９）と速結式防水コネクター（８）を連結した上、懸吊具付きエンドカバー（４）のソケット係合板（２３）にランプソケット（１０）を係合固定し、更に、一方の懸吊具付きエンドカバー（４）を器具本体（２）の一方端縁に係合固定させ、カバー（１６）の端縁をその懸吊具付きエンドカバー（４）の係合部（２１）に係合するよう湾曲させ、他方の懸吊具付きエンドカバー（４）を器具本体（２）の他方端縁に係合させ、同時に係合部（２１）にカバー（１６）の他方端縁を係合させる。なお、このためカバー（１６）の側縁には折り返しは設けられていない。又、ランプソケット（１０）はソケット固定部（２４）介して器具本体（２）より下部に位置することとなるため、器具本体（２）の上部に設けられる安定器（６）等との配線のため、相互に対向する器具本体（２）の端縁端部と懸吊具付きエンドカバー（４）のソケット固定部（２４）の一部が、双方とも切り欠けられている。このように形成された懸吊具付きエンドカバー（４）の取り付けられた照明器具（１）は、温室等に設けられた植物栽培棚の上段の棚を構成する図示のパイプ（２０）に懸吊具付きエンドカバー（４）の懸吊具（１２）の係止部（１３）をネジを用いることなく係止させることにより固定して使用する。このように互いに交叉するパイプ（１９）（２０）に段差があるため、器具本体（２）の長手方向に平行なパイプ（１９）上の例えば植物搭載用トレイ（図示しない）の底部が、上記照明器具のカバー（１６）の頂部に接触して、上記トレイの移動に障害となることがない。
【０００９】
図４に示すものは第２実施例であり、照明器具（１’）は前記第１実施例と同様、器具本体（２’）、安定器（６）、速結式防水コネクター（８）、送り線（９）、ランプソケット（１０’）、蛍光ランプ（１１）及び合成樹脂例えば塩化ビニール製のカバー（１６’）を有しているものの、懸吊具付きエンドカバー（４）に代え懸吊具（１２’）を有するものであり、安定器（６）は螺合されるが、他はネジを用いないで固定するものである。この器具本体（２’）は折り曲げ部（３’）を有し、その折り曲げ部（３’）には切欠部（５）が設けられる。そして、器具本体（２’）上部略中央にスペーサー（７）を介して安定器（６）が設置され、送り線（９）及び速結式防水コネクター（８）と連結される。一方、懸吊具（１２’）は、板体の支持部（１４’）を底面として、その両端はそれぞれ上方に延び、その端部には外側へ折り返された係止部（１３）が設けられ、上記ランプソケット（１０’）は器具本体（２’）の両端にネジを用いることなく係合固定した上、カバー（１６’）の側縁（１７’）を係止突起（１５’）に弾接して固定する。
【００１０】
この発明の第２実施例は以上の構成を具えるので、器具本体（２’）上部に安定器（６）を設置した上、送り線（９）と速結式防水コネクター（８）とを連結するとともに、ランプソケット（１０）を、器具本体（２’）の長手方向端縁に設けるソケット受け部に係合させて器具本体（２’）に対して固定し、次に、懸吊具（１２’）に器具本体（２’）を支持部（１４’）上に載置するようにして器具本体（２’）の切欠部（５）に係合させる。そして、ランプソケット（１０）に蛍光ランプ（１１）を嵌入する。ところで、この切欠部（５）の切欠幅だけ懸吊具（１２’）の支持部（１４’）は器具本体（２’）の内側で差し渡されることとなるので、ランプソケット（１０’）に蛍光ランプ（１１）を接続した際にも、懸吊具（１２’）の支持部（１４’）が蛍光ランプ（１１）に干渉することがなく、係止突起（１５’）は器具本体（２’）の上下動を阻止する。一方、カバー（１６’）は懸吊具（１２’）により固定されて照明器具（１’）が形成される。そのため、懸吊具（１２’）の設置位置、すなわち器具本体（２’）の折り曲げ部（３’）の前後に二対設けられる切欠部（５）は、適宜の距離を有していることが望ましい。こうして形成された懸吊具（１２’）の取り付けられた照明器具（１’）は、温室等に設けられた植物栽培棚の上段の棚を構成するパイプ［第１実施例の図２におけるパイプ（１９）］に懸吊具（１２’）の係止部（１３）を係止させることにより固定して使用する。
【００１１】
このように、照明器具（１’）を構成する器具本体（２’）とカバー（１６’）、更にはそれを支持する懸吊具（１２’）とを、ネジを使用することなく係止固定することができ、器具本体（２’）にネジ穴を設ける必要がなく、高温多湿下で生じ易くなっている錆の発生を防止することができる。又、ネジ止め工程を必要としないことから、その施工やメンテナンスのための組立あるいは分解が容易に行えるものである。一方、器具本体（２’）の上部に安定器（６）を設置するので、作業空間を広く確保することができ、安定器（６）の設置作業は勿論のこと、安定器（６）と速結式防水コネクター（８）及び送り線（９）更にはランプソケット（１０’）との各結線作業を容易に行うことができ、又、器具本体（２’）の下面が反射板を兼用するので、照明器具（１’）自体の部品点数も減少させることができる。更に、カバー（１６’）が器具本体（２’）に対して湾曲した形状で設置されるため、カバー（１６’）の裏面に付着した水滴はカバー（１６’）の裏面に沿って落下して器具本体（２’）の端縁部に到るため、器具本体（２’）の上部略中央に設置された安定器（６）にカバー（１６’）より落下した水滴が付着する危険を回避することができる。
【００１２】
そして、照明器具（１’）が極力ネジを使用することなく形成され、又、安定器（６）は器具本体（２’）の上部略中央に設置されて、湾曲したカバー（１６’）に覆われるため、高温多湿の条件下にあつても照明器具の機能を損なうことなく、更には組立容易に使用できるものとなる。
【００１３】
【発明の効果】
以上の通り、ネジの使用を少なくして照明器具を形成することができるので、温室等の高温多湿下で用いられても、器具に生じる苔等の除去が容易で、錆の発生を最小限度に抑制することができ、しかも安定器を覆うカバーが湾曲しているため、カバーに付着した水滴が直接安定器上に落下することがなく、安定器の劣化を防止して、照明器具自体の長期間の使用を可能とし、更に、安定器を器具本体の上部に設置し、又、各部材を相互の係合により固定することで、安定器の取付作業あるいは事後のメンテナンス作業を容易にし、その上、器具本体が反射板をも兼用し、且つ極力ネジを使用しないことで、部品点数を削減でき、製造コストの低減を図ることができるという優れた効果を有するものである。
【図面の簡単な説明】
【図１】この発明の実施例である照明器具の分解斜視図である。
【図２】この発明の照明器具の取り付け状態を示す斜視図である。
【図３】図２の縦断側面図である。
【図４】この発明の第２実施例の照明器具の斜視図である。
【図５】従来のものの分解斜視図である。
【符号の説明】
１、１’  照明器具
２、２’  器具本体
３、３’  折り曲げ部
４  懸吊具付エンドカバー
５  切欠部
６  安定器
７  スペーサー
８  速結式防水コネクター
９  送り線
１０、１０’  ランプソケット
１１  蛍光ランプ
１２、１２’  懸吊具
１３  係止部
１４’  支持部
１５’  係止突起
１６、１６’  カバー
１７、１７’  側縁
１８  係合溝
１９，２０  パイプ
２１  係合部
２２  挟持部
２３  ソケット係合板
２４  ソケット固定部
【図１】
0003814765.tif 000002
【図２】
0003814765.tif 000003
【図３】
0003814765.tif 000004
【図４】
0003814765.tif 000005
【図５】
0003814765.tif 000006